(57)【要約】【課題】キャップを筆記具本体から脱着することなく、簡単な構成によって、筆記具のシール状態と使用状態との切替えを迅速且つ容易にする耐久性の高い筆記具を提供する。【解決手段】本発明は、軸筒３と、軸筒３内を直線移動するスライダ１１と、スライダ１１内に収容され、前端部がスライダ１１から前方に突出するようにスライダ１１に固定された第１の筆記材１３と、スライダ１１に揺動可能に連結され、第１の筆記材１３の前端部をシールし又は前端部のシールを解除するように構成されたキャップ１５と、スライダ１１の直線移動をキャップ１５の揺動運動に変換するカム機構とを備える、筆記具１を提供する。【選択図】図１
2015042488.tif 000002
【特許請求の範囲】
【請求項１】
軸筒と、
前記軸筒内を直線移動するスライダと、
前記スライダ内に収容され、前端部が該スライダから前方に突出するように該スライダに固定された第１の筆記材と、
前記スライダに揺動可能に連結され、前記第１の筆記材の前端部をシールし又は該前端部のシールを解除するように構成されたキャップと、
前記スライダの直線移動を前記キャップの揺動運動に変換するカム機構と
を備える、筆記具。
【請求項２】
前記スライダに連結され、前記軸筒の外側に配設された操作部材を更に備える、請求項１に記載の筆記具。
【請求項３】
前記カム機構が、
前記キャップに形成された一対の突起と、
前記スライダに形成され、前記一対の突起を案内する一対のガイド孔と、
前記軸筒に形成された一対のカム溝であって、前記キャップが揺動するように、前記ガイド孔と協働して前記突起を移動させる一対のカム溝と
を備える、請求項２に記載の筆記具。
【請求項４】
前記ガイド孔が、前後方向に延在するストレート部と、該ストレート部の前方に隣接するカム部とから成り、シール状態では前記突起が前記ストレート部に位置し、前記スライダが後方に移動して前記突起が前記カム部に到達すると、前記キャップが揺動する、請求項３に記載の筆記具。
【請求項５】
前記カム部が前記操作部材から離れる方向に前記ストレート部から湾曲して延在する、請求項４に記載の筆記具。
【発明の詳細な説明】
【技術分野】
【０００１】
本発明は、筆記具に関し、特に、キャップを筆記具本体から脱着することなく、単純な操作によって、筆記具をシール状態と使用状態との間で切り替えることができる筆記具に関する。
【背景技術】
【０００２】
マーキングペンのような筆記材のインクの揮発又は消しゴムのような筆記材の汚れを防止すべく、未使用時には筆記材をシールすることが望ましい。従来、筆記材をシールするのに、脱着可能なキャップを使用することが多かった。しかしながら、キャップの脱着が煩雑であり、筆記具をシール状態と使用状態との間で切り換えるのに時間を要した。また、取り外したキャップの取扱いが面倒であり、キャップを紛失することも多かった。
【０００３】
そこで、これら不具合を解決すべく、特許文献１、２には、キャップを筆記具本体から脱着することなく、単純な操作によって、筆記具をシール状態と使用状態との間で切り換えることができる筆記具が開示されている。
【０００４】
特許文献１の筆記具では、ボタンを操作することでスライダを筆記材に対して後方に移動させるとともに、カム機構によってスライダの移動と連動して蓋体（キャップ）を揺動させることで、筆記具をシール状態と使用状態との間で切り換える。また、特許文献２の筆記具では、滑車機構によって筆記材を軸筒に対して出没させることで、筆記具をシール状態と使用状態との間で切り換える。
【先行技術文献】
【特許文献】
【０００５】
【特許文献１】特開平１０−１００５７９号公報
【特許文献２】特開２０１１−１４３７０２号公報
【発明の概要】
【発明が解決しようとする課題】
【０００６】
しかしながら、特許文献１の技術では、筆記材を移動させることなくスライダのみを移動させることによってペン先をスライダから突出させているので、筆記材はスライダに連結されていない。このため、筆記材を固定し且つシールするためにリフィル筒が使用されている。このことは筆記具の部品点数を増加させる。
【０００７】
また、スライダ内に配設された小径のリフィル筒に、インクを供給するための中綿を配設することが困難であるため、中綿は軸筒の後方に配設されている。このことによって、ペン先と中綿との間の中継芯を長くする必要があり、ひいてはインクの追従性の悪化をもたらす。
【０００８】
さらに、ボタンは、蓋体が揺動したときに蓋体と干渉しないように、軸筒の軸線方向において蓋体ひいてはペン先から離間して配設される。ボタンは、筆記具のシール状態を解除すべく後方に移動せしめられると、ペン先との距離がより一層離れる。このため、筆記するためには、ボタンを操作した指を一旦ボタンから離して筆記具を持ち直さなければならないおそれがある。このことは筆記作業を煩雑にする。
【０００９】
特許文献２の技術では、滑車のような複雑な機構を使用するので、部品点数が増加し、筆記具の組立も困難である。また、筆記具の前端部が常に開放されているので、シール性が不十分であり、インクが揮発するおそれがある。さらに、長期に亘る使用によって滑車機構の糸状部材が切れるといった不具合が発生し、筆記具が使用不可能となるおそれもある。
【００１０】
そこで、本発明は、上記の問題点に鑑みてなされたものであって、キャップを筆記具本体から脱着することなく、簡単な構成によって、筆記具のシール状態と使用状態との切替えを迅速且つ容易にする耐久性の高い筆記具を提供することを目的とする。
【課題を解決するための手段】
【００１１】
本発明の第１態様では、軸筒と、軸筒内を直線移動するスライダと、スライダ内に収容され、前端部がスライダから前方に突出するようにスライダに固定された第１の筆記材と、スライダに揺動可能に連結され、第１の筆記材の前端部をシールし又は前端部のシールを解除するように構成されたキャップと、スライダの直線移動をキャップの揺動運動に変換するカム機構とを備える、筆記具が提供される。なお、筆記具のキャップ側を筆記具の「前」側と定義し、筆記具の軸線方向（長手方向）に沿って筆記具のキャップとは反対側を筆記具の「後」側と定義する。
【００１２】
本発明の第１態様では、筆記具が、スライダに連結され、軸筒の外側に配設された操作部材を更に備えることが好ましい。
【００１３】
本発明の第１態様では、カム機構が、キャップに形成された一対の突起と、スライダに形成され、一対の突起を案内する一対のガイド孔と、軸筒に形成された一対のカム溝であって、キャップが揺動するように、ガイド孔と協働して突起を移動させる一対のカム溝とを備えることが好ましい。
【００１４】
本発明の第１態様では、ガイド孔が、前後方向に延在するストレート部と、ストレート部の前方に隣接するカム部とから成り、シール状態では突起がストレート部に位置し、スライダが後方に移動して突起がカム部に到達すると、キャップが揺動することが好ましい。
【００１５】
本発明の第１態様では、カム部が操作部材から離れる方向にストレート部から湾曲して延在することが好ましい。
【００１６】
また、本発明の第１態様では、操作部材がクリップであることが好ましい。
【００１７】
また、本発明の第１態様では、筆記具が、軸筒内に配設されて、スライダを前方に付勢するスプリングを更に備えることが好ましい。
【００１８】
また、本発明の第１態様では、筆記具が、キャップの反対側の軸筒の端部に出没自在に配設された第２の筆記材を更に備えることが好ましい。
【００１９】
また、本発明の第１態様では、第１の筆記材がマーキングペンであり、インクが含浸されたインク含浸材がキャップ内に配設されることが好ましい。
【発明の効果】
【００２０】
本発明によれば、キャップを筆記具本体から脱着することなく、簡単な構成によって、筆記具のシール状態と使用状態との切替えを迅速且つ容易にする耐久性の高い筆記具が提供される。
【図面の簡単な説明】
【００２１】
【図１】図１（ａ）〜（ｃ）は、それぞれ、本発明の第１実施形態に係る筆記具のシール状態の正面断面図、正面図及び右側面図である。
【図２】図２（ａ）、（ｂ）は、それぞれ、本発明の第１実施形態に係る筆記具の筆記状態の正面断面図及び正面図である。
【図３】図３は、図１のスライダ及び第１の操作部材の斜視図である。
【図４】図４は、図１のキャップの斜視図である。
【図５】図５は、インク含浸材がキャップ内に収容された筆記具の正面断面図である。
【図６】図６は、図１の軸筒の斜視図である。
【図７】図７（ａ）〜（ｄ）は、キャップが揺動する様子を示す筆記具の正面図である。
【図８】図８（ａ）〜（ｄ）は、キャップが揺動する様子を示す筆記具の正面断面図である。
【図９】図９（ａ）〜（ｃ）は、それぞれ、本発明の第２実施形態に係る筆記具のシール状態の正面断面図、正面図及び右側面図である。
【図１０】図１０（ａ）、（ｂ）は、それぞれ、本発明の第２実施形態に係る筆記具の筆記状態の正面断面図及び正面図である。
【発明を実施するための形態】
【００２２】
以下、添付図面を参照して本発明の実施形態（第１実施形態及び第２実施形態）を説明する。
【００２３】
最初に、図１及び図２を参照して、本発明の第１実施形態に係る筆記具１ａの構成及び機能について説明する。
【００２４】
図１（ａ）〜（ｃ）は、それぞれ、本発明の第１実施形態に係る筆記具１ａのシール状態の正面断面図、正面図及び右側面図である。図２（ａ）、（ｂ）は、それぞれ、本発明の第１実施形態に係る筆記具１ａの筆記状態の正面断面図及び正面図である。筆記具１ａは、軸筒３ａの一方の端部に配設された第１の筆記部材１０と、軸筒３ａの他方の端部に配設された第２の筆記部材２０とを備える。
【００２５】
第１の筆記部材１０は、軸筒３ａの前部に部分的に収容されたスライダ１１ａと、スライダ１１ａよりも後方で軸筒３ａ内に配設された第１のスプリング１２と、スライダ１１ａに固定された第１の筆記材１３と、スライダ１１ａに連結された第１の操作部材１４と、筆記具１ａの前端部に配設されたキャップ１５ａとを備える。第１のスプリング１２はスライダ１１ａを前方に付勢する。本実施形態では、第１の筆記材１３はマーキングペン１３である。なお、図１（ａ）に示されるように、本明細書において、第１の筆記部材１０の説明に関して、筆記具１ａのキャップ１５ａ側を筆記具１ａの「前」側と定義し、筆記具１ａの軸線方向（長手方向）に沿って筆記具１ａのキャップ１５ａとは反対側を筆記具１ａの「後」側と定義する。
【００２６】
第１の操作部材１４が操作されると、スライダ１１ａは軸筒３ａ内で直線移動する。図２に示されるように、図１のシール状態から第１の操作部材１４でスライダ１１ａ及びマーキングペン１３を後方に移動させると、後述するカム機構によってスライダ１１ａの移動に連動してキャップ１５ａが揺動する。言い換えれば、カム機構はスライダ１１ａの直線移動をキャップ１５ａの揺動運動に変換する。このとき、キャップ１５ａは第１の操作部材１４に向かって約９０°揺動し、マーキングペン１３のペン先１３１が露出する。すなわち、ペン先１３１のシールが解除され、マーキングペン１３は筆記可能な状態となる。
【００２７】
また、図２の筆記状態から第１の操作部材１４を離すと、第１のスプリング１２の付勢力によってスライダ１１ａ及びマーキングペン１３は前方に移動し、スライダ１１ａの移動に連動してキャップ１５ａは揺動する。このとき、キャップ１５ａはペン先１３１に向かって約９０°揺動し、図１に示されるようにマーキングペン１３のペン先１３１はシールされる。すなわち、マーキングペン１３は再びシール状態となる。したがって、マーキングペン１３を使用しないときにはペン先１３１が確実にシールされるので、マーキングペン１３のインクの揮発が低減される。なお、第１の操作部材１４を保持しなくても図２の筆記状態を保てるように、後方に移動した第１の操作部材１４を係止する係止部が軸筒３ａに設けられてもよい。
【００２８】
第２の筆記部材２０は、第２の筆記材２３と、第２の筆記材２３の一部を囲むように軸筒３ａ内に配設された第２のスプリング２２と、第２の筆記材２３の後端部と係合する第２の操作部材２４と、軸筒３ａの端部に装着されたクチプラ２５とを備える。本実施形態では、第２の筆記材２３はボールペン２３である。ボールペン２３は、前端部に配設されたボールペンチップ２３１と、ボールペンチップ２３１の後方に配設されたインク収容管２３２とを備える。第２のスプリング２２はボールペン２３を後方に付勢する。第２の操作部材２４の一部は指による操作を可能とすべく軸筒３ａの外側に配設される。なお、図１（ａ）に示されるように、本明細書において、第２の筆記部材２０の説明に関して、筆記具１ａのボールペンチップ２３１側を筆記具１ａの「前」側と定義し、筆記具１ａの軸線方向（長手方向）に沿って筆記具１ａのボールペンチップ２３１とは反対側を筆記具１ａの「後」側と定義する。
【００２９】
図１のシール状態から第２の操作部材２４を操作してボールペン２３を前方に移動させると、図２に示されるように、ボールペンチップ２３１が軸筒３ａから前方に突出する。すなわち、ボールペンチップ２３１のシールが解除され、ボールペン２３は筆記可能な状態となる。このとき、第２の操作部材２４及びボールペン２３は公知の態様でロックされる。
【００３０】
また、図２の筆記状態から第２の操作部材２４のロックを解除すると、第２の操作部材２４は第２のスプリング２２の付勢力によってボールペン２３と共に後方に移動し、図１に示されるように、ボールペンチップ２３１は軸筒３ａ内に没入される。すなわち、ボールペン２３は再びシール状態となる。このように、ボールペン２３はキャップ１５ａの反対側の軸筒３ａの端部に出没自在に配設される。
【００３１】
次に、図１〜図６を参照して、第１の筆記部材１０の各構成要素及び軸筒３ａについてより詳細に説明する。
【００３２】
図１及び図２に示されるように、マーキングペン１３は、筆記時に使用されるペン先１３１と、インクを含んだ中綿１３２と、ペン先１３１と中綿１３２とを接続する中継芯１３３と、これらを保持する保持部１３４とを備える。マーキングペン１３は、ペン先１３１がスライダ１１ａから前方に突出するようにスライダ１１ａに固定される。したがって、マーキングペン１３はスライダ１１ａと一体的に直進移動する。マーキングペン１３の大部分はスライダ１１ａによってシールされる。また、前述したように、ペン先１３１は未使用時にはキャップ１５ａによってシールされる。
【００３３】
図３は図１のスライダ１１ａ及び第１の操作部材１４の斜視図である。スライダ１１ａ及び第１の操作部材１４は、典型的には樹脂の射出成形によって一体的に成形される。スライダ１１ａは、中空の略円筒形状を有し、後端部が閉じている。スライダ１１ａの側面には一対のガイド孔１１１が形成される。ガイド孔１１１は、前後方向に延在するストレート部１１１ａと、ストレート部１１１ａの前方に隣接するカム部１１１ｂとから成る。カム部１１１ｂは第１の操作部材１４から離れる方向にストレート部１１１ａから湾曲して延在する。また、一対のカム部１１１ｂの近くには一対の凸部１１２が形成される。一対の凸部１１２は、円柱形状を有し、スライダ１１ａの径方向内側に向かって突出する。
【００３４】
第１の操作部材１４の一方の端部はスライダ１１ａに連結される。また、図１及び図２に示されるように、第１の操作部材１４は、指による操作を可能とすべく軸筒３ａの外側に配設される。本実施形態では、第１の操作部材１４は、前後方向に延在するクリップ１４である。図１及び図２に示されるように、クリップ１４の後部には、スライダ１１ａに向かって突出する玉部１４１が形成される。クリップ１４は、軸筒３ａの外面と協働して、紙又は衣服等を狭持する役割を有する。なお、スライダ１１ａと第１の操作部材１４とは、別々に成形されて、互いに組み立てられてもよい。
【００３５】
図４は図１のキャップ１５ａの斜視図である。キャップ１５ａは、ペン先１３１をシールするシール部１５１と、シール部１５１から後方に延在する一対のアーム部１５２とから成る。キャップ１５ａは典型的には樹脂の射出成形によって成形される。シール部１５１は中空の半球状又は中空の半楕円球状に形成される。図１（ａ）に示されるように、ペン先１３１はシール時にシール部１５１の中空部分に位置する。
【００３６】
一対のアーム部１５２の先端部には一対の突起１５３が形成される。一対の突起１５３は、それぞれ、アーム部１５２の延在方向に対して垂直に且つ互いに離れる方向に突出する。一対の突起１５３は、それぞれ、スライダ１１ａの一対のガイド孔１１１に収容される。キャップ１５ａは突起１５３を介してスライダ１１ａに揺動可能に連結される。すなわち、スライダ１１ａが移動するとき、ガイド孔１１１は突起１５３を案内する。図１及び図２に示されるように、キャップ１５ａは揺動運動によってマーキングペン１３のペン先１３１をシールし又はペン先１３１のシールを解除する。
【００３７】
また、一対のアーム部１５２には一対の窓部１５４が形成される。一対の窓部１５４は、貫通孔として形成され、アーム部１５２の延在方向に沿って延在する。一対の窓部１５４は、それぞれ、スライダ１１ａの凸部１１２を収容する。スライダ１１ａが移動するとき、窓部１５４は凸部１１２を案内する。また、図１（ｂ）から分かるように、筆記具１ａのユーザはスライダ１１ａのガイド孔１１１（ストレート部１１１ａ）及びキャップ１５ａの窓部１５４を通してマーキングペン１３のインクの残量を確認することができる。
【００３８】
なお、インクが含浸されたインク含浸材１６がキャップ１５ａ内に配設されてもよい。図５は、インク含浸材１６がキャップ１５ａ内に収容された筆記具１ａの正面断面図である。インク含浸材１６は接着等によってキャップ１５ａ内に固定される。インク含浸材１６は例えばスポンジのような多孔体である。図５に示されるように、シール時にはペン先１３１はインク含浸材１６と接触する。このため、長時間の使用によってインクが揮発して筆記が不可能となった場合でも、一旦ペン先１３１をシール状態にすることで、短時間で筆記を再開することができる。
【００３９】
図６は図１の軸筒３ａの斜視図である。軸筒３ａは中空の円筒形状を有する。軸筒３ａは典型的には樹脂の射出成形によって成形される。軸筒３ａの側面には第１の逃げ孔３１及び第２の逃げ孔３２が形成される。第１の逃げ孔３１は軸筒３ａの前端部に配置され、第２の逃げ孔３２は第１の逃げ孔３１から後方に離間されて配置される。第１の逃げ孔３１及び第２の逃げ孔３２はそれぞれ軸線方向に延在する。図１及び図２に示されるように、第１の逃げ孔３１には第１の操作部材１４が配置され、第２の逃げ孔３２には第２の操作部材２４が配置される。第１の操作部材１４及び第２の操作部材２４は、それぞれ、第１の逃げ孔３１及び第２の逃げ孔３２によって軸筒３ａと干渉することなく前後に移動することができる。第１の逃げ孔３１及び第２の逃げ孔３２の軸線方向の長さは第１の操作部材１４及び第２の操作部材２４の形状及び移動量に応じてそれぞれ決定される。
【００４０】
軸筒３ａの側面には、さらに、一対のカム溝３３が略Ｖ字状に形成される。一対のカム溝３３は周方向において第１の逃げ孔３１から約±９０°離間される。一対のカム溝３３はそれぞれキャップ１５ａの一対の突起１５３を収容する。
【００４１】
図１（ａ）及び図２（ａ）に示されるように、軸筒３ａの内面には、径方向内側に突出し且つ周方向に延在する当接部３４が形成される。第１のスプリング１２は当接部３４とスライダ１１ａとの間に配設される。
【００４２】
以下、図７及び図８を参照して、第１の筆記部材１０のカム機構について説明する。
【００４３】
キャップ１５ａの一対の突起１５３と、スライダ１１ａの一対のガイド孔１１１と、軸筒３ａの一対のカム溝３３とは、スライダ１１ａの直線運動をキャップ１５ａの揺動運動に変換するカム機構として機能する。図７（ａ）〜（ｄ）は、キャップ１５ａが揺動する様子を示す筆記具１ａの部分正面図である。図７では、ガイド孔１１１は点線で示される。図８（ａ）〜（ｄ）は、キャップ１５ａが揺動する様子を示す筆記具１ａの部分正面断面図である。図７及び図８では、第１の筆記部材１０が配設された筆記具１ａの前方側のみが示される。
【００４４】
図７（ａ）及び図８（ａ）はシール状態の筆記具１ａを示す。また、図７（ａ）及び図８（ａ）は図１（ｂ）及び図１（ａ）にそれぞれ対応する。図７（ａ）に示されるように、突起１５３はガイド孔１１１のストレート部１１１ａの後端部に位置し且つカム溝３３の前端部に位置する。
【００４５】
図７（ｂ）及び図８（ｂ）は、突起１５３がストレート部１１１ａの前端部に位置するまで、図７（ａ）及び図８（ａ）のシール状態から第１の操作部材１４を後方に移動させたときの筆記具１ａを示す。図７（ｂ）に示されるように、突起１５３はガイド孔１１１のストレート部１１１ａの前端部に位置し且つカム溝３３の前端部に位置する。図８（ｂ）に示されるように、第１の操作部材１４が後方に移動すると、スライダ１１ａ及びマーキングペン１３は第１の操作部材１４と一体的に後方に移動する。一方、キャップ１５ａは図７（ａ）及び図８（ａ）の位置から移動しない。すなわち、ペン先１３１はキャップ１５ａのシール部１５１から離間される。
【００４６】
図７（ｃ）及び図８（ｃ）は、図７（ｂ）及び図８（ｂ）の状態から第１の操作部材１４を更に後方に移動させたときの筆記具１ａを示す。図７（ｃ）に示されるように、突起１５３はガイド孔１１１のカム部１１１ｂに位置する。突起１５３がカム部１１１ｂに到達すると、カム部１１１ｂ及びカム溝３３は、キャップ１５ａが揺動するように、協働して突起１５３を回転移動させる。前述したように、カム部１１１ｂが第１の操作部材１４から離れる方向にストレート部１１１ａから湾曲して延在しているので、キャップ１５ａは第１の操作部材１４に近付く方向に揺動する。
【００４７】
通常、マーキングペン１３による筆記は、人差し指又は親指で第１の操作部材１４を後方に保持したまま、軸筒３ａの径方向において第１の操作部材１４とは反対側を紙面に近付けた状態で行われる。この場合、キャップ１５ａは、第１の操作部材１４に近付く方向に揺動するので、筆記を妨げない。したがって、第１の操作部材１４を後方に保持したまま、筆記具１ａを持ち直すことなく筆記を行うことが可能となる。
【００４８】
また、キャップ１５ａが揺動し始めるとき、図８（ｂ）に示されるようにキャップ１５ａのシール部１５１はペン先１３１から十分に離間されている。このため、キャップ１５ａは、シール時にはペン先１３１を前後方向にも覆っているが、ペン先１３１に干渉することなく揺動することができる。キャップ１５ａがシール時にペン先１３１を前後方向にも覆うことによって、ペン先１３１のシール性はより一層高められる。
【００４９】
図７（ｄ）及び図８（ｄ）は、図７（ｃ）及び図８（ｃ）の状態から第１の操作部材１４を更に後方に移動させたときの筆記具１ａを示す。図７（ｄ）及び図８（ｄ）は図２（ｂ）及び図２（ａ）にそれぞれ対応する。図７（ｄ）に示されるように、突起１５３はガイド孔１１１のカム部１１１ｂの前端部に位置する。突起１５３はカム溝３３に沿って更に回転移動するので、キャップ１５ａは更に揺動する。このことによってシール状態が完全に解除され、筆記が可能となる。
【００５０】
次に図９及び図１０を参照して、本発明の第２実施形態に係る筆記具１ｂについて説明する。以下の説明では、第１実施形態と同様の部分については説明を省き、第１実施形態と異なる部分を中心に説明する。
【００５１】
図９（ａ）〜（ｃ）は、それぞれ、本発明の第２実施形態に係る筆記具１ｂのシール状態の正面断面図、正面図及び右側面図である。図１０（ａ）、（ｂ）は、それぞれ、本発明の第２実施形態に係る筆記具１ｂの筆記状態の正面断面図及び正面図である。
【００５２】
筆記具１ｂは、軸筒３ｂと、軸筒３ｂの前部に部分的に収容されたスライダ１１ｂと、スライダ１１ｂよりも後方で軸筒３ｂ内に配設されたスプリング３２と、スライダ１１ｂに固定された筆記材３３と、スライダ１１ｂに連結された操作部材３４と、筆記具１ｂの前端部に配設されたキャップ１５ｂと、軸筒３ｂの後端部に連結された接続部材３５とを備える。接続部材３５は軸筒３ｂと一体で形成され又は別体で設けられてもよい。なお、図９（ａ）に示されるように、本明細書において、筆記具１ｂのキャップ１５ｂ側を筆記具１ｂの「前」側と定義し、筆記具１ｂの軸線方向（長手方向）に沿って筆記具１ｂのキャップ１５ｂとは反対側を筆記具１ｂの「後」側と定義する。
【００５３】
キャップ１５ｂの前端部には消字体３６が装着される。消字体３６は、例えば、熱変色性インクによる筆跡を変色させ若しくは消色する摩擦体、又は消しゴムである。キャップ１５ｂの前端部には突部１５５が形成され、一方、消字体３６には凹部３６１が形成される。突部１５５及び凹部３６１は相補的な形状を有し、消字体３６は嵌合又は圧入によってキャップ１５ｂに装着される。なお、消字体３６は、接着、溶着等によってキャップ１５ｂに装着されてもよい。また、キャップ１５ｂ及び消字体３６は、二色成形等によって一体成形され、又は同一材料で形成されてもよい。キャップ１５ｂ及び消字体３６が同一材料で形成される場合、その材料は、ＪＩＳ  Ｋ６２５１に規定されたデュロメータ硬度Ａが８０°以上となる材料であることが望ましい。また、図９及び図１０には図示されないが、図５に示されるのと同様の態様でインク含浸材１６をキャップ１５ｂ内に配設してもよい。
【００５４】
消字体３６は、キャップ１５ｂの先端に位置するので、図９に示される筆記部１ｂのシール状態において使用可能である。一方、図１０に示されるような、キャップ１５ｂが消字体３６と共に揺動した筆記具１ｂの筆記状態では、消字体３６は使用不可能である。これら二つの状態は、第１実施形態に関して前述したカム機構によって容易に切替可能である。
【００５５】
また、図９に示されるように、接続部材３５はリング状の形状を有する。接続部材３５の内側にストラップ又はチェーンのような紐状部材（図示せず）を通すことで、紐状部材を介して筆記具１ｂを携帯電話等の他の物品に取り付けることが可能となる。このことによって、筆記具１ｂの携帯性が向上し、筆記具１ｂを紛失する可能性が低減される。なお、接続部材３５は、紐状部材と連結可能であれば、複数のリングを重ね合わせた形状又は多角形状のような他の任意の形状であってもよい。また、紐状部材と接続部材３５との連結のためにマグネットを使用してもよい。
【００５６】
以上、本発明に係る好適な実施形態を説明したが、本発明はこれら実施形態に限定されるものではなく、特許請求の範囲の記載内で様々な修正及び変更を施すことができる。例えば、第１の筆記材と第２の筆記材の組合せは、マーキングペンとボールペンの代わりに、修正ペンとボールペン、消しゴムとシャープペンシル、消しゴムと消しゴム消去性インクのボールペン、ゴム弾性部材と熱変色インクのボールペン、熱変色インクの万年筆と熱変色インクのボールペン、又はタブレット用のタッチペンとボールペンのような他の組合せであってもよい。また、第２実施形態のように、筆記具は第２の筆記部材を備えずに第１の筆記部材のみを備えてもよい。
【符号の説明】
【００５７】
１ａ、１ｂ    筆記具
３ａ、３ｂ    軸筒
３１    第１の逃げ孔
３２    第２の逃げ孔
３３    カム溝
３４    当接部
１０    第１の筆記部材
１１ａ、１１ｂ    スライダ
１１１    ガイド孔
１１１ａ    ストレート部
１１１ｂ    カム部
１１２    凸部
１２    第１のスプリング
１３    第１の筆記材（マーキングペン）
１３１    ペン先
１３２    中綿
１３３    中継芯
１３４    保持部
１４    第１の操作部材（クリップ）
１４１    玉部
１５ａ、１５ｂ    キャップ
１５１    シール部
１５２    アーム部
１５３    突起
１５４    窓部
１５５    突部
１６    インク含浸材
２０    第２の筆記部材
２２    第２のスプリング
２３    第２の筆記材（ボールペン）
２３１    ボールペンチップ
２３２    インク収容管
２４    第２の操作部材
２５    クチプラ
３２    スプリング
３３    筆記材
３４    操作部材
３５    接続部材
３６    消字体
３６１    凹部
【図１】
2015042488.tif 000003
【図２】
2015042488.tif 000004
【図３】
2015042488.tif 000005
【図４】
2015042488.tif 000006
【図５】
2015042488.tif 000007
【図６】
2015042488.tif 000008
【図７】
2015042488.tif 000009
【図８】
2015042488.tif 000010
【図９】
2015042488.tif 000011
【図１０】
2015042488.tif 000012